(57)【特許請求の範囲】
【請求項１】
股間を前後方向に覆う長尺の非透水性シートからなる外面部材の内面側に吸収体シートを設け、該吸収体シートの内面側に長手方向の中央部から前側に、後端部が非透水性シートで覆われた吸収体ブロックを設け、長手方向の両側に弾性伸縮部材を設け、さらに中央部を切欠いたクッション部材を後方に突出するように着脱自在に取付けたことを特徴とする排泄物吸収体。
【請求項２】
吸収体ブロックの厚さが前部から後部にかけてなだらかに増加して後端部の厚さが  ３．５ｃｍ以上を有し、その長さが１５〜２６ｃｍ、その幅が３ｃｍ以上１２ｃｍ以下であり、且つ吸収体シートの幅は該吸収体ブロックの幅以上であり、その長さは少くとも該吸収体ブロック後端より１５〜２５ｃｍ後方に延在させた請求項１記載の排泄物吸収体。
【請求項３】
弾性伸縮部材を吸収体ブロックの上面よりも高く設置し、さらに該弾性伸縮部材により外面部材が弧状に保形されている請求項１又は２記載の排泄物吸収体。
【請求項４】
クッション部材の一端を外面部材の外表面の後端に粘着剤で着脱自在とした請求項１〜３のいずれか１項記載の排泄物吸収体。
【請求項５】
吸収体ブロックが親水性繊維と高吸収性ポリマーもしくは高吸収シートの吸収材からなり、その後端部の坪量が  １００〜６０００ｇ／ｍ２  である請求項１〜４のいずれか１項記載の排泄物吸収体。
【請求項６】
吸収体シートが親水性繊維もしくは高吸収性ポリマーもしくは高吸収シートの１種以上の吸収材からなり、その坪量が２００  〜３０００ｇ／ｍ２  である請求項１〜５のいずれか１項記載の排泄物吸収体。
【請求項７】
吸収体ブロックの少なくとも中央部が凹設している請求項１〜６のいずれか１項記載の排泄物吸収体。
【請求項８】
長手方向の中央部で内側に２つ折りにし、クッション部材は別体で包装する請求項１〜７のいずれか１項記載の排泄物吸収体。
【発明の詳細な説明】
【０００１】
【産業上の利用分野】
本発明は寝たきり老人を含め、重傷患者や骨折等の外傷で介護の必要な患者等の糞尿の始末に適した排泄物吸収体に関する。
【０００２】
【従来の技術】
近年、我が国では高齢化社会が急速に進んでおりそれに伴なって寝たきり老人の数も増加している。これら老人の介護の一助として紙おむつの使用はますます増えつつある。
この紙おむつとしては、現在フラットタイプ、パンツタイプ、パッド、紙尿器等があり、着用者の状態や介護事情にあわせて使用される。
【０００３】
【発明が解決しようとする課題】
そしてこれら紙おむつの多くの吸収体は、シート状であり、着用者の股間から略腰部までを覆うように当がわれ、且つ糞尿の分離については考慮されていない。また股間と紙おむつとの間に隙間がありフィット性がよくなかった。そのため隙間からの横もれの心配があった。しかも排泄物は、紙おむつ内面に広くひろがり、着用者の臀部、腰部迄を汚染することになり、着用者に不快感を与え、また褥瘡を起し易い状態にあった。さらにまた介護者に拭き取り、洗浄や汚物処理等のおむつ交換作業の負担増をもたらしている。
また、紙おむつは、単独で使用される他、例えばパンツタイプとパッドというように組み合わせて使用されているが、褥瘡の予防まで含めた上述の問題を解決するには至っていない。
これに対して本発明者らは先に寝たきり老人等のための新規な排泄物吸収体を特願平５−２５８９２０号として提案しているが、さらに使用感に優れ使い勝手に優れた吸収体が求められている。
さらに従来の紙おむつでは寝たきり老人を自立させようとして着座させようとしてもフィット性が悪いため運動した場合に固定が困難であり、しかも上記の通り横もれを起し易く問題であった。
【０００４】
【課題を解決するための手段】
そこで本発明はこれらの問題に鑑み検討の結果、着用者の不快感がなく、介護者にとっても負担の少ない排泄物吸収体を提供するものである。
【０００５】
即ち本発明の吸収体は、股間を前後方向に覆う長尺の非透水性シートからなる外面部材の内面側に吸収体シートを設け、該吸収体シートの内面側に長手方向の中央部から前側に、後端部が非透水性シートで覆われた吸収体ブロックを設け、長手方向の両側に弾性伸縮部材を設け、さらに中央部を切欠いたクッション部材を後方に突出するように着脱自在に取付けたことを特徴とするものである。
【０００６】
そしてこの吸収体において、吸収体ブロックの厚さを前部から後部にかけてなだらかに増加させて後端部の厚さを  ３．５ｃｍ以上とし、その長さを１５〜２６ｃｍ、その幅を３ｃｍ以上１２ｃｍ以下とし、且つ吸収体シートの幅は該吸収体ブロックの幅以上とし、その長さを少くとも該吸収体ブロック後端より１５〜２５ｃｍ後方に延在させたり、弾性伸縮部材を吸収体ブロックの上面よりも高く設置し、さらに該弾性伸縮部材により外面部材を弧状に保形させたり、クッション部材の一端を外面部材の外表面の後端に粘着剤で着脱自在としたり、吸収体ブロックが親水性繊維と高吸収性ポリマーとの吸収材からなり、その後端部の坪量を  １００〜６０００ｇ／ｍ２  としたり、吸収体シートを親水性繊維もしくは高吸収性ポリマーの１種以上の吸収材からなり、その坪量を２００  〜３０００ｇ／ｍ２  としたり、吸収体ブロックの少なくとも中央部を凹設したり、又は長手方向の中央部で内側に２つ折りにし、クッション部材は別体で包装するものとするのはより効果がある。
【０００７】
【実施例】
以下図面により本発明の一実施例について説明する。
【０００８】
（実施例１）
図１は、本発明の一実施例に従う女性用の排泄物吸収体の斜視図である。
外面部材（１）は、例えばポリエチレン等の非透水性シートにより構成されいる。吸収体ブロック（２）は、図のように前部から後部にかけて高さを増す構造を持ち、その後端部での高さは、後述する理由から  ３．５ｃｍ以上あることが必要となる。
この構造は、１例として木材パルプ等の親水性繊維と高吸水性ポリマー等よりなる坪量  １００〜１，０００  ｇ／ｍ２  程度の吸収体マットを積層するか、又はこれら材料を例えばティシュや透水性シートに包み込むことにより得られる。
装着時、吸収体ブロック（２）の後端部は、尿等の排出物が多く集中する位置にあたるため、厚さと同時に高吸収性ポリマーの濃度は高く設定される。これにより排泄された尿等の多くが、吸収体ブロック（２）中に着用時間中保持される。
なお吸収体ブロック（２）を、幼児用おむつや大人用おむつ表面材として使われている不織布、例えば、ポリプロピレンやポリエステル等より成る不織布で覆えば、尿吸収後も肌をドライに保つ。
【０００９】
吸収体シート（３）は吸収体ブロック（２）の下方、即ち該吸収体ブロック（２）と外面部材（１）との間に位置し、吸収体ブロック（２）とほぼ同様の素材より成るが坪量は約  ２００〜３０００ｇ／ｍ２  が良好であり、吸収体ブロック（２）より薄いことが望ましい。そして該吸収体シート（３）は以下の作用をなすものである。
【００１０】
尿量は、個人差や食事といった状況により大きく変動する。このため吸収体ブロックの尿の吸収速度は大きくとっておかなければならず、望ましくは１０ｃｃ／秒以上の吸収速度を有する吸収体ブロックを採用すれば瞬時に吸収できない量が排尿された場合にも対処でき、着用者にとって快適さを維持できる。なおこのような特性を得るには該吸収体の尿道口対応近傍に水分の吸収速度の大きいウール繊維やポリエステル不織布等を充填する構成としたり、表面にひだを有する構造としたり、厚さの薄い吸収体ブロック片を幅方向に積層する構造としたり、あるいは吸収体ブロック長尺体を波状に折り畳んで幅方向に積層する構造等を採用すればよい。
また吸収体ブロック（２）の下層からは、吸収体ブロック（２）の吸収能力以上の尿が排出された様な場合にも該吸収体ブロック（２）の後端部を覆う非透水性シート（４）から溢れ出た尿は吸収体シート（３）へ移行して順次吸収され、人体に対する濡れ戻りを、最小限にとどめる。
【００１１】
また本発明吸収体の前部に設けた吸収体ブロック（２）により、その後端と該吸収体後部に延在させた吸収体シート（３）で糞便収容部（Ａ）が形成される。この収容部（Ａ）の両側の外面部材（１）には弾性伸縮部材（５）も設けられているので、該収容部（Ａ）に受け入れられた軟便等は吸収体ブロック（２）側及び両側から外部へは移行せず、吸収体シート（３）で効果的に水分が吸収されることになる。
【００１２】
吸収体ブロック（２）のサイズは、長さが１５〜２６ｃｍ、幅１２ｃｍ以下が良く、吸収体シート（３）は、全体の長さが２０ｃｍ〜５５ｃｍで糞便収容部（Ａ）を形成する長さ１５〜２５ｃｍ、幅７ｃｍ以上であれば本効果が良好に発揮できることが着用テストにより認められた。
【００１３】
また本発明では吸収体ブロック（２）は排泄された尿に対して高い吸収力を持ち、さらに吸収作用を補う吸収体シート（３）を備えることで、肌と接する吸収体のサイズを充分小さく抑えられるために装着時の蒸れを最小限に抑えられる。
【００１４】
また前述の吸収体ブロック（２）の厚さは、該ブロック（２）を吸収体シート（３）上の所定位置に取付けて人体に圧着させた時に人体形状に準じて該吸収体ブロック（２）が柔軟に変形し、且つ吸収体シート（３）上面と人体との間に糞便収容部（Ａ）の空間を確保するために必要となる。そしてこの空間は、吸収体ブロック（２）の後端部を覆う非透水性シート（４）の防水壁と弾性伸縮部材（５）の伸縮作用により幅方向両側に位置する吸収体シート（３）や外面部材（１）の非透水性シートに囲まれ、糞便を独立して保持する機能を与えられる。
【００１５】
非透水性シート（４）は、長さ方向では吸収体ブロック（２）の後端部の上面を覆い、又は後端部の上面及び下面を覆い、幅方向では吸収体ブロック（２）の少なくとも後端部の側面を覆って弾性伸縮部材との間の仕切壁となるものであって、糞尿は、該非透水性シート（４）により隔てられて各々別々に収納される。即ち糞便収容部（Ａ）の一部を構成する非透水性シート（４）は、吸収体ブロック（２）への主な排泄物である尿の該糞便収容部（Ａ）への移行を防止すると同時に、便、特に軟便の吸収体ブロック（２）への移動を防止する。
非透水性シート（４）は、着用中の肌との接触時にも快適であるよう、例えば不織布等を貼り合わせて用いるのが望ましい。また該シート（４）の吸収体ブロック（２）の上面を覆う部分の前端部は、図２〜図４にそれぞれ１例を示すように、湾曲した形状をもたせることで、装着感の向上と接着域の確保を図ることができる。
【００１６】
さらに吸収体シート（３）の幅方向両側もしくはその外側の外面部材（１）には、弾性伸縮部材（５）が長手方向に設けられており、該吸収体シート（３）の両側はこの弾性伸縮部材（５）を設けた壁に沿って立上げると良い。また他の弾性伸縮部材を前記弾性伸縮部材（５）の内側にさらに設けることによりフィット性、防漏性を向上させることができる。
なおこの他の弾性伸縮部材は透水性シート、非透水性シートのいずれかを用いて取付けられるもので、上記非透水性シート（４）の側面に接着しておくことで糞便収容部（Ａ）の壁面を構成させることができる。
これら弾性伸縮部材により、吸収体本体は、吸収体ブロック（２）や吸収体シート（３）を含んで、幾分収縮し且つ、弧状に湾曲しているので、人体への装着性が一層向上する。
【００１７】
またクッション部材（１０）は尾底骨の当たる部分を欠損させた構造であって、端部に粘着テープ（１１）を設けて、吸収本体の後端の外面に着脱自在に取付けた。このようにクッション部材（１０）は着脱可能であるため吸収体本体との位置を締結手段により微調整することができ、着用者の体格に関わらず、所定の位置へ取付けることができる。
【００１８】
（実施例２）
図５は、本発明の一実施例に従う男性用の排泄物吸収体本体の斜視図である。泌尿器を包み込むように、吸収体ブロック（２′）の少なくとも中央部が凹設した形状である。このような形状の吸収体ブロック（２′）は一体で製造してもよいが、側壁部材（６）（６）と後端部材（７）とを別々に製造して組合せることもできる。なお図中（１２）は上記の他の弾性収縮部材を示す。
【００１９】
図６は、上述の本発明排泄物吸収体を、股間に装着するに際して用いられる吸収体カバー（８）の１例を示した展開平面図である。この吸収体カバーは、幅方向に特に伸縮する薄手の編み目状シートにより本体が構成されており、本発明吸収体の装着を考慮して、装着位置を示す指標（９）が施されている。本体全面が通気性をもち、本発明吸収体と併せ用いることにより、装着時の蒸れを必要最小限の面積にとどめる。むろんこのような吸収体カバー（８）を用いることなく、下着あるいは市販おむつカバー、パンツ型おむつを本排泄物吸収体の装着に用いることも可能である。
なおこの吸収体カバー（８）の使用手順は、先ず本発明吸収体を設置するには、該吸収体カバー（８）に付された指標（９）をもとに本発明の吸収体を該吸収体カバーにそのまま当てがい、又は粘着剤等を用いて仮固定する。次に人体への装着に際しては該吸収体カバーとともに人体に当て、位置を微調整して先端に粘着テープ（１１）を設けた伸縮バンド（１３）で押えることにより容易に装着させることができる。なお図中（１４）は伸縮部材を示す。
また装着時には、前述の弾性収縮部材の効果により弧状に収縮した本体を前方向に引き伸ばして装着することにより着用者の体型に関わらず本効果を発揮することができる。
【００２０】
以上の態様で吸収体、吸収体カバーを装着すれば、排出された尿は、吸収体ブロック（２）あるいは吸収体シート（３）に吸収され、外面部材の非透水シートにより覆われた吸収体の外部には漏出しない。排出された便は、吸収体ブロック（２）と吸収体シート（３）さらに加えて弾性伸縮部材により囲まれた糞便収容部（Ａ）に収納される。
【００２１】
さらに上記吸収体の後部に着脱自在に設置されたクッション部材は、褥瘡の発生しやすい尾底骨周辺部分を切り欠いた構造を持ち、該周辺での着用者自身の体重による肌への圧迫を緩和させ、かつ通気性を確保して尾底骨周辺に多く発生する褥瘡を防止する。
褥瘡の予防には、圧迫を防ぐと共に、尾底骨周辺の肌をドライに保つことも重要であるが、本発明によれば排出された糞尿は限定された部位にとどまるため、該肌周辺を、ドライにかつ清潔に保つことができる。
【００２２】
従来の紙おむつでは、着用時に肌と吸収体とに空間があり、かつ糞尿が同一空間に排出される為、着用者の動きにより、広い範囲に渡り肌が汚染されるという問題があった。特に尾底骨周辺、泌尿器への汚染は、褥瘡を含む多くの疾患の要因となっていたが、本発明によればこのような問題は回避できる。
また脱着時には、糞便が分離されているため、汚物処理等の介護者の負担が軽減される。
【００２３】
【発明の効果】
このように本発明によれば、排泄物による着用者の皮膚への汚れが抑えられ、しかも泌尿器等への便の付着が防止でき疾患等特に褥瘡の予防となる。また介護者においては、排泄物の後始末の負担が軽減される。
【図面の簡単な説明】
【図１】本発明の一実施例に従う女性用排泄物吸収体を示した全体斜視図である。
【図２】本発明に係る排泄物吸収体の吸収体ブロック後端部を覆う非透水性シートを示す斜視図である。
【図３】同じく非透水性シートの他の例を示す斜視図である。
【図４】同じく非透水性シートのさらに他の例を示す斜視図である。
【図５】本発明の一実施例に従う男性用排泄物吸収体本体を示した全体斜視図である。
【図６】本発明排泄物吸収体に使用する吸収体カバーを示した展開平面図である。
【符号の説明】
１  外面部材
２  吸収体ブロック
３  吸収体シート
４  非透水性シート
５  弾性伸縮部材
６  側壁部材
７  後端部材
８  吸収体カバー
９  指標
１０  クッション部材
１１  粘着テープ
１２  他の弾性伸縮部材
１３  伸縮バンド
１４  伸縮部材
【図１】
0003594257.tif 000002
【図２】
0003594257.tif 000003
【図３】
0003594257.tif 000004
【図４】
0003594257.tif 000005
【図５】
0003594257.tif 000006
【図６】
0003594257.tif 000007